(57)【要約】      （修正有）【課題】米包装用袋に関し、所定の容量ごとに米を連続的に充填する袋を、従来使用していた添加剤を用いないで袋の表面にマット感を有し、袋の米充填口を開き易くし、且つヒートシールを高くして強度を増大して破袋し難くし、充填後密封した際に袋体内の空気を袋体底部から確実且つ容易に脱気できるようにした。【解決手段】米包装袋において、ポリエチレン溶融原料に中和剤、酸化防止剤、アンチブロッキング剤、スリップ剤、帯電防止剤等の添加剤が全く用いられないメタロセン触媒で重合された直鎖状低密度ポリエチレン樹脂で米包装用袋体１を成形し、その成形した袋体底辺３’の付近に当該底辺方向に沿って複数条に溶着して迷路シール３1・３2を成形して有底部３とし、その有底部を成形する際に上下に隣り合う迷路シール３1・３2の未溶着部位ｇ1・ｇ2、ｇを互いに食い違い的に形成する。【選択図】図１
0003143400.tif 000002
【実用新案登録請求の範囲】
【請求項１】
ポリエチレン溶融原料に中和剤、酸化防止剤、アンチブロッキング剤、スリップ剤、帯電防止剤等の添加剤が全く用いられないメタロセン触媒で重合された直鎖状低密度ポリエチレン樹脂で米包装用袋体(1)を成形し、その成形した袋体底辺(3′)の付近に当該底辺方向に沿って僅少間隔を有する未溶着部位未溶着部位(g1・g2)を形成した迷路シール(31)を設けることを特徴とする米包装用袋。
【請求項２】
ポリエチレン溶融原料に中和剤、酸化防止剤、アンチブロッキング剤、スリップ剤、帯電防止剤等の添加剤が全く用いられないメタロセン触媒で重合された直鎖状低密度ポリエチレン樹脂で米包装用袋体(1)を成形し、その成形した袋体底辺(3′)の付近に当該底辺方向に沿って複数条に溶着して迷路シール(31・32)を成形して有底部(3)とし、その有底部を成形する際に上下に隣り合う迷路シール(31・32)の未溶着部位(g1・g2、ｇ)を互いに食い違い的に形成することを特徴とする米包装用袋。
【考案の詳細な説明】
【技術分野】
【０００１】
本考案は、米包装用袋に関し、所定の容量ごとに米を連続的に充填する袋を、従来使用していた添加剤を用いないで袋の表面にマット感を有し、袋の米充填口を開き易くし、且つヒートシール（熱溶着）性を高くして強度を増大して破袋し難くし、充填後密封した際に袋体内の空気を袋体底部から確実且つ容易に脱気できるようにしたものである。
【背景技術】
【０００２】
一般に、食品包装材料として用いられるポリエチレンの種類として、一番標準的的で、高圧法低密度ポリエチレン（ＬＤＰＥ＝通称ＬＤ）、スーパーマーケットで買い物を入れるためのレジ袋に用いられる、中低圧法高密度ポリエチレン（ＨＤＰＥ＝通称ＨＤ）、シール性能や物理的強度に優れた直鎖状低密度ポリエチレン（ＬＬＤＰＥ＝通称ＬＬＤ）が知られている。
【０００３】
そして、上記の食品包装材料のポリエチレンに使用される添加剤とその化合物の例としては、中和剤(ステアリン酸Ｃａ)、酸化防止剤（フェノール系、リン系）、アンチブロッキング剤(シリカ、ゼオライト、ポリマービーズ)、スリップ剤(脂肪酸アミド)、帯電防止剤（グリセリン）がある。
【０００４】
【特許文献１】特開２００２−３４７７８４号公報
【特許文献２】実開昭５９−７５４５４号公報
【特許文献３】特許第３２１５６５８号公報
【０００５】
上記の各添加材において、中和剤は、触媒残渣の中和効果を有し、酸化防止剤は、フィルム加工時の熱安定性を有し、アンチブロッキング剤（ＡＢ剤）は、フィルム包装材のブロッキング防止効果を有し、スリップ剤は、フィルム包装材の開口性改良が可能であり、帯電防止剤は、粉体包装時の飛散防止効果を有している。
【考案の開示】
【考案が解決しようとする課題】
【０００６】
かつては、ポリエチレンで「無添加」といえば、高圧法低密度ポリエチレン（ＬＤ）が代表的な存在であった。しかしながら、前記のＬＤには、強度が弱くて破れ易いこと、ヒートシール性が低くて破袋しやすい。
【０００７】
上記各添加剤の課題としては、中和剤は、添加剤のブリード(噴出し)による内容物への移行や味の移行があり、酸化防止剤は、同じく内容物の移行と、フィルムの変色（黄変）があり、アンチブロッキング剤は、添加剤由来の臭気とフィルの傷付きが発生しやすい。スリップ剤は、臭気の発生と内容物への移行があり、帯電防止剤には内容物への移行がある。
【課題を解決するための手段】
【０００８】
そこで、本考案は食品包装材のうち、特に米包装専用の袋の改良に係るものである。本考案の第１は、米包装用袋において、ポリエチレン溶融原料に中和剤、酸化防止剤、アンチブロッキング剤、スリップ剤、帯電防止剤等の添加剤が全く用いられないメタロセン触媒で重合された直鎖状低密度ポリエチレン樹脂で米包装用袋体を成形し、その袋体開口部と対向する袋体有底部を底辺方向に沿って僅少間隔を有する未溶着部位を形成した迷路シールを設けるようにしたものである。
【０００９】
本考案の第２は、米包装用袋において、ポリエチレン溶融原料に中和剤、酸化防止剤、アンチブロッキング剤、スリップ剤、帯電防止剤等の添加剤が全く用いられないメタロセン触媒で重合された直鎖状低密度ポリエチレン樹脂で米包装用袋体を成形し、その袋体開口部と対向する袋体有底部を底辺方向に沿って僅少間隔を有する未溶着部位を形成した迷路シールを設けるようにしたものである。
【考案の効果】
【００１０】
本考案は上記の構成であるから、次のような効果がある。すなわち、本考案の構成にポリエチレン原料に中和剤を添加しないということは、触媒にハロゲン成分（塩素）を一切含まないことである。したがって、中和剤を添加しているポリエチレンに比べて、その添加剤のブリード（噴出し）による内容物への移行がなくなる。また、添加剤由来の臭いや味の移行がない。続いて、酸化防止剤が原因となるフィルムの変色がなくなる。さらに、本発明によれば、乳製品包装に関する「乳等省令」にも適用できる。
【００１１】
そして、本考案の構成によれば、耐電防止剤を添加していないことにより、従来のポリエチレン製袋体表面がつるつるの滑らかであるのに対して、サラサラとして上質なマット外観を有している。
【００１２】
また、本考案の袋体は、フィルムインパクト（１／２inch）が従来の無添加ポリエチレン樹脂製袋体（例えば、ノバテックＬＤ  LF240）に比べて約３倍程高い強度が得られ破袋し難い効果がある。さらに、ヒートシール温度（at 5N）も、従来のポリエチレン製袋体の約１２４℃に比べて約１１８℃と低温のヒートシールが得られる。
【００１３】
さらに、アンチブロッキング５０℃（Ｎ／10ｃｍ2）について、従来のポリエチレン製袋体の１３．６に対して５．２と約２分の１以下の低ブロッキング数値が得られる。
【００１４】
その他、本考案は、米充填のときに一緒に入り込んだ空気は、袋体底部の複数条の迷路シールの未溶着部を通って袋体外部に脱気される。このとき、袋体内の米粒は隣り合う迷路シールの未溶着部が互いに食い違い的に形成されていることにより、袋体外にこぼれ落ちるのが防止される。
【考案を実施するための最良の形態】
【００１５】
本考案に係る米包装用袋の最良の形態は次の通りである。すなわち、ポリエチレン溶融原料に中和剤、酸化防止剤、アンチブロッキング剤、スリップ剤、帯電防止剤等の添加剤が全く用いられないメタロセン触媒で重合された直鎖状低密度ポリエチレン樹脂をインフレーション成形機のインフレーションフィルム成形工程で超長尺で円筒状のフィルムチューブ体を形成した後、扁平にしながら巻取機で巻き取ってチューブ体原反とする。
【００１６】
前記のチューブ体原反をグラビア印刷機の印刷工程でチューブ体原反表面に必要な印刷を施した後に巻取機で巻き取って印刷チューブ体原反とし、当該印刷チューブ原反を製袋機の製袋工程にかけ、印刷チューブ体原反から袋体底辺を成形する位置において、当該底辺方向に沿って熱溶着用のシールバーにより複数条の未溶着部付き迷路シールを成形する。
【００１７】
その迷路シールと共に、上下に隣り合う迷路シールの未溶着部を互いに食い違い的に形成した有底部を所定距離をあけて連続して設けながら袋体原反として個袋にカットせずに巻取機に巻き取らせる。
【００１８】
そして、次工程の米充填機の米充填工程にかけて前位の袋体の迷路シール付き有底部の位置を後位の袋体の開口の位置とし、当該前位の袋体開口部から所定量の米を充填した後に当該開口部を密封すると共に、前位袋体の有底部となる迷路シールの外側を製袋機のカッター機構で裁断して個袋とし、開口を開いて米を充填した後に開口部をシールして米包装工程が完了する。
【実施例】
【００１９】
次に、本考案の実施例を図面に即して説明する。１はポリエチレン溶融原料に中和剤、酸化防止剤、アンチブロッキング剤、スリップ剤、帯電防止剤等の添加剤が全く用いられないメタロセン触媒で重合された直鎖状低密度ポリエチレン樹脂からなるフィルム製の袋体、２は袋体１の開口部、３はその袋体の有底部であり、底辺３′に沿って熱溶着によって複数条の脱気用迷路シール３1・３2を成形し、且つ上下に隣り合う迷路シール３1・３2の未溶着部位ｇ1・ｇ2、ｇを互いに食い違い的に形成してある。前記迷路シールの未溶着部位の一方は約５ｍｍの間隔で横幅が約２ｍｍ、長さが約５ｍｍの短い溶着線条と２０ｍｍ程の長い溶着線条になっている。また、他方は約１７ｍｍの間隔で横幅が約２ｍｍ、長さが約４４ｍｍの長い溶着線条になっている。４は袋体の底部３の直上に所定の距離Ｌ2（約１０ｍｍ）で左右両側に施した横長矩形の黒色の印刷表示であり、米自動充填機Ｄにおいて、袋体のカット位置とシール位置をセンサーで感知する目印になるものである。
【００２０】
「具体的な作業工程」
（１）チューブ体原反の製作
ポリエチレン溶融原料に中和剤、酸化防止剤、アンチブロッキング剤、スリップ剤、帯電防止剤等の添加剤が全く用いられないメタロセン触媒で重合された直鎖状低密度ポリエチレン樹脂をスクリュー押出機Ａのインフレーション成形工程で超長尺のフィルムチューブ体を形成しながら巻取機Ａ"で巻き取ってチューブ体原反１aとする。
（２）グラビア印刷原反の製作
チューブ原反をグラビア印刷機Ｂの印刷工程でチューブ原反表面に印刷を施した後に巻取機Ｂ"で巻き取って印刷原反１bとする。
（３）袋体原反の製作
繰出し機Ｃ′に掛けた印刷チューブ体原反１bを繰り出して製袋機Ｃの製袋工程に送り、印刷原反１bから袋体底辺部を成形する位置において、当該底辺方向に沿ってシールバーＣ1により複数条の未溶着部付き迷路シール３1・３2を成形すると共に、隣り合う迷路シール３1・３2の未溶着部ｇ1・ｇ2を互いに食い違い的に形成した袋体１の有底部３を所定距離Ｌをあけて連続して設けながら袋体原反１cとして巻取機Ｃ"に巻き取らせる。この製袋工程においては、製袋機Ｃに具備しているチューブ体原反を個袋１に加工するためのカッター機構Ｃ2は作動しないようにしてある。
（４）米充填用袋体の製作
米自動充填機Ｄの米充填工程において、袋体原反をカッターＤ1でカットして単一の袋体、すなわち個袋１とし、この個袋の開口部２を開口バーＤ3で開き、この状態で当該個袋を米供給部Ｄnまで移動させ停止し、米供給部Ｄnから所定量の米ｒを個袋に充填した後に開口部２を閉口バーＤ4で開口を閉じた後、シールバーＤ6で密封して取り出すことによって単一袋体への１回の米包装工程が完了する。
【産業上の利用可能性】
【００２１】
本考案は、米包装のためのほか、自動充填機にかける他の穀物、例えば、麦、豆類やその他の分野における顆粒体の包装袋として適用することも可能である。
【図面の簡単な説明】
【００２２】
【図１】本願考案に係る米包装用袋の正面図である。
【図２】図１の米包装用袋用チューブ体原反の一部を示す正面図である。
【図３】図１の米包装用袋を作るためのインフレーション成形工程に用いる押出機を具備するインフレーションフィルム成形機の概略正面図である。
【図４】グラビア印刷工程に用いるグラビア印刷装置の概略説明図である。
【図５】製袋工程に用いる製袋機の概略正面図である。
【図６】米自動充填機の概略斜視図である。
【符号の説明】
【００２３】
１……単一の袋体（＝個袋）
２……開口部
３……有底部
３′……袋体の底辺
３1・３2……迷路シール
Ａ……インフレーションフィルム成形機
Ｂ……グラビア印刷機
Ｃ……製袋機
Ｄ……米自動充填機
ｇ・ｇ1・ｇ2……未溶着部
【図１】
0003143400.tif 000003
【図２】
0003143400.tif 000004
【図３】
0003143400.tif 000005
【図４】
0003143400.tif 000006
【図５】
0003143400.tif 000007
【図６】
0003143400.tif 000008
【手続補正書】
【提出日】平成20年5月8日(2008.5.8)
【手続補正１】
【補正対象書類名】実用新案登録請求の範囲
【補正対象項目名】請求項１
【補正方法】変更
【補正の内容】
【請求項１】
ポリエチレン溶融原料に中和剤、酸化防止剤、アンチブロッキング剤、スリップ剤、帯電防止剤等の添加剤が全く用いられないメタロセン触媒で重合された直鎖状低密度ポリエチレン樹脂で米包装用袋体(1)を成形し、その成形した袋体底辺(3′)の付近に当該底辺方向に沿って僅少間隔を有する未溶着部位(g1・g2)を形成した迷路シール(31)を設けることを特徴とする米包装用袋。